(57)【特許請求の範囲】
【請求項１】
他の機器と通信するための信号線が接続される接続端子を有し施工面に取り付けられる器体を備え、器体の前面にはハンドル凹所が設けられており、ハンドル凹所内には他の機器と通信するときに入切されるスイッチの押操作部が露出しており、ハンドル凹所には前方から押されたときにスイッチの押操作部を押操作するカバー状のハンドルが着脱自在に取着され、器体の前面においてハンドルで覆われる部位には、他の機器から受信した情報を記録するメモリーカードが着脱自在に接続されるカード接続部材が配設されることを特徴とする情報通信装置。
【発明の詳細な説明】
【技術分野】
【０００１】
本発明は、施工面に取り付けられ他の機器との間で通信が可能な情報通信装置に関するものである。
【背景技術】
【０００２】
従来から、宅内の施工面（壁）に取り付けられ、また、宅外などに設置された他の機器（ドアホン子機）と信号線を用いて接続され、ドアホン子機との間で通話などの通信を行うインターホンシステムを構築する情報通信装置（インターホン親機）が提供されている。
【０００３】
この種の情報通信装置においては、ドアホン子機には来訪者を撮像するカメラが取り付けられ、情報通信装置は画像を映す表示器を備え、ドアホン子機で撮像された画像を表示器で表示する情報通信装置が提供されている。
【０００４】
上述のような表示器を有する情報通信装置においては、画像を記録できるＳＤカードなどのメモリーカードを情報通信装置に取り付ける技術が提供されている（例えば、特許文献１参照）。
【０００５】
情報通信装置におけるメモリーカードの取り付け場所は、デザイン維持のため、情報通信装置の前面ではなく側面（壁面と略直交する面）に形成され、壁に沿ってメモリカードを挿入する技術が提案されている。
【０００６】
一方、近年では、表示器の薄型化や、壁内に情報通信装置の一部を埋め込む形で情報通信装置を壁に取り付けること（例えば、特許文献２参照）により、壁面からの突出寸法を小さく抑えた情報通信装置が提供されている。
【特許文献１】特開２００６−１５７１７８号公報
【特許文献２】特開平６−２９１８１８号公報
【発明の開示】
【発明が解決しようとする課題】
【０００７】
上述のように壁面からの突出寸法を小さく抑えた情報通信装置においては、メモリーカードを側面（壁面と略直交する面）から壁に沿って挿入する構成では、メモリーカードの挿入部位の近くに壁があるから、メモリーカードの挿入作業が困難になるという問題が生じる。
【０００８】
本発明は上記事由に鑑みて為されたものであり、その目的は、メモリーカードの取付作業を容易に行える情報通信装置を提供することにある。
【課題を解決するための手段】
【０００９】
請求項１の発明は、他の機器と通信するための信号線が接続される接続端子を有し施工面に取り付けられる器体を備え、器体の前面にはハンドル凹所が設けられており、ハンドル凹所内には他の機器と通信するときに入切されるスイッチの押操作部が露出しており、ハンドル凹所には前方から押されたときにスイッチの押操作部を押操作するカバー状のハンドルが着脱自在に取着され、器体の前面においてハンドルで覆われる部位には、他の機器から受信した情報を記録するメモリーカードが着脱自在に接続されるカード接続部材が配設されることを特徴とする。
【発明の効果】
【００１０】
請求項１の発明の構成によると、器体の前面において、着脱自在に取着されるハンドルに覆われる部位にメモリーカードを接続するカード接続部材が取り付けられ、ハンドルを取り外すことによりカード接続部材が前面に露出するので、メモリーカードを挿入する挿入口を壁面に略直交する側面に形成し、壁面に沿ってメモリーカードを挿入する構成に比べ、メモリーカードの挿入作業が容易になるという利点がある。
【００１１】
また、カード接続部材をハンドルに覆われる部位に取り付けるので、情報通信装置の外観が変化しないという利点がある。
【発明を実施するための最良の形態】
【００１２】
以下の実施形態では、他の機器としてのドアホン子機（図示せず）と通話などの通信を行い、インターホンシステムを構築するインターホン親機を情報通信装置の一例として説明する。
【００１３】
ドアホン子機は宅外に設置され、インターホン親機は、施工面である宅内の壁Ｗに取り付けられ、ドアホン子機とインターホン親機とは通信線（図示せず）で接続される。ドアホン子機はカメラを備え、カメラで撮像された画像は画像データとしてインターホン親機に送信される。
【００１４】
一方、インターホン親機は、画像を表示する表示器１、および、通話回路部と、画像データ変換処理回路部と、各回路部や表示器１に直流電力を供給する電源回路部とを備え、通話および画像の表示を行うことができる。以下では、インターホン親機を壁Ｗに取り付けた状態での上下左右を上下左右とし、壁Ｗの手前側を前、奥側を後として説明する。
【００１５】
本実施形態のインターホン親機は、図２に示すように、器体として、前面矩形状の箱状に形成される本体モジュールＡと、薄箱状に形成され本体モジュールＡの前面に配置される露出パネルＢとを備え、また、露出パネルＢの周囲を包囲する形に配置される枠状の化粧プレートＰを備える。
【００１６】
化粧プレートＰは、プレート枠１９と化粧カバー２０とで構成され、化粧カバー２０には本体モジュールＡに固定するための固定ねじ（図示せず）が挿通されるプレート孔２２が貫設され、また、化粧カバー２０とプレート枠１９とは結合部（図示せず）により結合される。
【００１７】
本体モジュールＡは、前端が開口する箱状であって壁Ｗに開設された施工孔１０の後方に固定される器具配線用スイッチボックッスＳＢに、後部が収容される形で固定される。スイッチボックスＳＢには、本体モジュールＡを取り付けるための取付ねじ（図示せず）がねじ込まれるねじ孔１２が前端に形成された上下一対の器具固定用突起１１が、内底面の上下両端部から２組突設される。
【００１８】
本体モジュールＡの後壁には端子用窓（図示せず）が開設され、端子用窓からは、信号線および商用電源供給用の電源線が接続される信号線用接続端子（図示せず）および電源線用接続端子（図示せず）が露出する。本体モジュールＡの前壁にはモジュール側接触端子用窓１４が開設され、本体モジュールＡと露出パネルＢとを電気的に接続させるためのモジュール側接触端子１３が前面に露出する。
【００１９】
本体モジュールＡ前端の上下両端部からは、左右両端に亘って２個の取付板４が互いに離れる向きに延設され、各取付板４には、取付ねじが挿通される複数個のボックス用孔４１および固定ねじがねじ込まれる複数個のプレート用ねじ孔４２がそれぞれ貫設される。
【００２０】
露出パネルＢは、装着手段により本体モジュールＡに装着される。装着手段は、下方の取付板４の下部に形成される複数個の鉤片４３と、露出パネルＢの後壁に形成され、各鉤片４３が挿入される複数個の引掛孔（図示せず）と、露出パネルＢの後壁に突設され、上方の取付板４と係合する複数個の係止突起（図示せず）とで形成される。
【００２１】
露出パネルＢの後壁には、モジュール側接触端子１３と接続するパネル側接触端子（図示せず）を外部に露出させるためのパネル側接触端子用窓（図示せず）が開設される。
【００２２】
また、図３に示すように露出パネルＢの前壁には、表示器１の画面を露出させるためのパネル用開口１５およびスピーカー（図示せず）の音声を外部に伝えるための多数の貫通小孔１６が形成される。また、露出パネルＢの前壁には、入力操作を行うための複数個の操作スイッチ（図示せず）を操作するための複数個の操作釦１８が配設される。
【００２３】
さらに、図１に示すように露出パネルＢの前面には、ハンドル凹所５が凹設される。ハンドル凹所５の中央部には装着凹部５１がさらに凹設される。装着凹部５１にはスイッチ用窓５６ａが内底面に貫設されたスイッチ用溝５６が底部に形成される。スイッチ用窓５６ａからは、通話開始などの入力を行う通話スイッチ３の押操作部３ａ（図５（ａ）参照）がスイッチ用溝５６内に露出する。
【００２４】
また、装着凹部５１の上部には、カード接続部材２が半田付けなどにより固着される（カード接続部材２については後述する）。
【００２５】
ハンドル凹所５には、通話スイッチ３を押操作する通話ハンドル６が着脱自在に取着される。以下図１，図４を参照して、通話ハンドル６およびハンドル凹所５について詳説する。通話ハンドル６の裏面（外部に露出しない側の面であって図における前面）には、上方（図における上方）に延設される挿入凸部６３ａを先端部に備える複数個の挿入爪６３が上部に突設され、左右方向に長く先端部が半円柱状の嵌合突起６７が上部に複数個突設され、左右一対のハンドル側壁６１が上下両端に亘って左右両端部から突設される。
【００２６】
ハンドル側壁６１の下部には、通話ハンドル６の裏面にまで達する左右一対の切欠６４が形成され、切欠６４における通話ハンドル６の裏面からは、互いに離れる向きに突出する係合凸部６２ａを先端部に備える左右一対の係合爪６２が突設される。また、通話ハンドル６の裏面には、通話スイッチ３を押操作するためのスイッチ用リブ６５と、復帰リブ６６が突設される。
【００２７】
一方、ハンドル凹所５には、各挿入突起６３ａが挿入される複数個の挿入孔５４が上部に貫設され、各係合爪６２が挿通される左右一対の係合孔５５が左右両部に貫設され、嵌合突起６７と嵌合する嵌合溝５７が上部に凹設され、また、ばね突起５３が上壁から下方に延設される一対のばね用開口５２が装着凹部５１の左右両側に開設される。
【００２８】
しかして、図５（ａ），（ｂ）に示すように、挿入凸部６３ａおよび係合凸部６２ａがハンドル凹所５の底壁と係合することにより、通話ハンドル６は、嵌合突起６７と嵌合溝５７とが嵌合した状態でハンドル凹所５に係止される。ここに、ハンドル側壁６１の突出寸法はハンドル凹所５の深さ寸法よりも小さく形成され、通話ハンドル６を指で押操作すると、ハンドル側壁６１先端がハンドル凹所５の内底面と接触するまで通話ハンドル６は嵌合突起６７を支点として後方に移動し、スイッチ用リブ６５が押操作部３ａを押操作する。また、押操作を行うと復帰リブ６６がばね突起５３を押し下げるから、通話ハンドル６から指を離すと通話ハンドル６が元の位置に復帰する。
【００２９】
一方、通話ハンドル６の下端に工具を当てるなどして通話ハンドル６を前方に引っ張ると、挿入爪６２および係合爪６３が撓み、挿入凸部６２ａおよび係合凸部６３ａがハンドル凹所５の底壁から外れ通話ハンドル６が取り外される。
【００３０】
ところで、画像を表示する機能を備えるインターホン親機においては、来訪者の画像を録画、再生する機能が求められることがある。たとえば、不在時に来訪した来訪者の画像を録画する場合などである。本実施形態においては、画像を録画、再生する録画機能を備える。
【００３１】
具体的には、本実施形態のインターホン親機は、受信した情報（画像データ）を記録する内蔵メモリおよび画像データを記録するメモリーカードＣが接続されるカード接続部材２を備え、内蔵メモリまたはカード接続部材２に接続されたメモリーカードＣに画像データを記録する。なお、本実施形態では内蔵メモリを備え、メモリーカードＣは内蔵メモリの増設メモリとして機能するが、内蔵メモリを有さずカード接続部材２にメモリーカードが接続された場合にのみ録画可能となる構成としてもよい。
【００３２】
以下では、メモリーカードＣにはマイクロＳＤカードを使用する構成を例示するが、ＳＤカードやミニＳＤカードなど他の記録媒体を使用してもよい。カード接続部材２には、図６，図７に示すように、イジェクタ機構を有するマイクロＳＤカード変換アダプタを流用して使用する。カード接続部材２は、装着凹所５１の上端に形成され画像データ変換処理回路部と電気的に接続する接続コネクタ（図示せず）に上部の接続端子２ｂが接続される形でハンドル凹所５に固着される。
【００３３】
ここで、メモリーカードＣをカード接続部材２に接続する方法について図１および図３を参照して説明する。まず、通話ハンドル６をハンドル凹所５より取り外し、カード接続部材２を露出させる。次にメモリーカードＣを、図中の矢印に示すように接続部材２の下方より挿入口２ａに挿入する。最後に通話ハンドル６をハンドル凹所５に取着し、メモリーカードＣの接続が完了する。
【００３４】
ところで、メモリーカードＣの挿入部位を、露出パネルＢにおける前面以外の側面（壁に略直行する面であって露出する面）に備え壁面に沿ってメモリーカードＣを挿入する構成においては、メモリーカードＣの挿入部位の近傍に壁があるためメモリーカードの挿入作業に支障を生じる場合がある。特に、壁面からの突出寸法が小さい場合、メモリーカードＣの挿入作業は困難である。
【００３５】
本実施形態においては、上述のようにメモリーカードＣが接続されるカード接続部材２は通話ハンドル６を取り外すことによりカード接続部材２は前方に露出するので、壁面からの突出寸法が小さい場合においても、メモリーカードＣの挿入作業を容易に行うことができる。
【００３６】
また、カード接続部材２は通話ハンドル６により覆い隠される部位に取り付けられるので、インターホン親機の外観は変化しない。
【００３７】
さらに、上述のようにカード接続部材２にはマイクロＳＤ変換アダプタを流用することができるから、専用部材を開発する必要がなく設計コストを安くすることができる。
【００３８】
なお、本実施形態においては、本体モジュールＡと露出パネルＢとを分離し、本体モジュール後部を壁Ｗに埋め込む構成のインターホン親機を例示したが、これに限るものではなく、本体モジュールＡと露出パネルＢとを一体に形成する構成や、本体モジュールＡを壁面に直接取り付ける構成であってもよい。
【００３９】
また、本実施形態においては信号線で接続されるドアホン子機と通信するインターホン親機を例示したが、これに限るものではない。
【図面の簡単な説明】
【００４０】
【図１】通話ハンドルを取り外した状態の分解斜視図である。
【図２】本発明の実施形態の分解斜視図である。
【図３】露出パネルの斜視図である。
【図４】通話ハンドルの一部を示す斜視図である。
【図５】（ａ）は図１におけるＥＥ断面であり、（ｂ）は図１におけるＤＤ断面である。
【図６】カード接続部材の斜視図である。
【図７】カード接続部材の平面図である。
【符号の説明】
【００４１】
Ａ  本体モジュール（器体）
Ｂ  露出パネル（器体）
Ｃ  メモリーカード
Ｗ  壁（施工面）
１  表示器
２  カード接続部材  
３  通話スイッチ（スイッチ）
【図１】
0005033016.tif 000002
【図２】
0005033016.tif 000003
【図３】
0005033016.tif 000004
【図４】
0005033016.tif 000005
【図５】
0005033016.tif 000006
【図６】
0005033016.tif 000007
【図７】
0005033016.tif 000008